(57)【要約】【課題】簡素な構成で安価且つ簡易に取り付けることができる棚板に対する耐震構造を提供すること。【解決手段】耐震構造２１は、棚板１０が支柱１７に対して前後左右上下方向に移動することを防止する。耐震構造２１は、折れ曲がった前端部１３ｃが支柱１７に固定されることで、棚板１０が前後方向に移動することを防止する棚板１０の側面パネル１３と、棚板１０を側面パネル１３側から挟み込み、棚板１０が左右上下方向に移動することを防止する挟み込み部材である１対の耐震レール２３とを具備する。【選択図】      図１
2011174297.tif 000002
【特許請求の範囲】
【請求項１】
棚板が支柱に対して前後左右上下方向に移動することを防止する前記棚板に対する耐震構造であって、
折れ曲がった端部が前記支柱に固定されることで、前記棚板が前後方向に移動することを防止する前記棚板の側面パネルと、
前記棚板を前記側面パネル側から挟み込み、前記棚板が左右上下方向に移動することを防止する挟み込み部材である１対の耐震レールと、
を具備することを特徴とする耐震構造。
【発明の詳細な説明】
【技術分野】
【０００１】
本発明は、筐体の内部に配設されている支柱に棚板を取り付ける際、棚板に対する耐震構造に関する。
【背景技術】
【０００２】
開閉自在な筐体の内部には支柱（フレーム）が配設され、支柱によって棚板が支持されている。この棚板には、通信装置等の電子機器が設置される。棚板及び電子機器は、筐体の内部から自在に取り出せる。
【０００３】
このような棚板を図４と図５とに示す。図４と図５とに示すように棚板１１０は、中空の四角形形状、言い換えると箱形状を有している。この棚板１１０は、上下に対向し合う上下２枚の平板１１１（１１１ａ,１１１ｂ）と、２枚の平板１１１の両側に配設される側面パネル１１３（１１３ａ,１１３ｂ）とを有している。２枚の平板１１１内には、上述したように通信装置等の図示しない電子機器などが載置される。
【０００４】
そして棚板１１０は、上述したように図示しない筐体の内部に配設される。そして棚板１１０は、上述したように筐体の内部に配設されている支柱１１７によって支持される。
【０００５】
また地震等の振動が生じた場合、棚板１１０のがたつきによって電子機器が棚板１１０から転倒することを防止するために、棚板１１０には耐震対策を施す必要がある。  
そのため図４と図５とに示すように棚板１１０が支柱１１７に支持される際、一方の支柱１１７には一方のレール１６１ａが取り付けられ、他方の支柱１１７には他方のレール１６１ｂが取り付けられる。これら１対のレール１６１（１６１ａ,１６１ｂ）は耐震構造１２１に含まれ、棚板１１０は１対のレール１６１（１６１ａ,１６１ｂ）に載置される。
【０００６】
また図４と図５とに示すように棚板１１０は、例えば１対のストッパー１６３（１６３ａ,１６３ｂ）によってレール１６１に押さえつけられている。このストッパー１６３は、レール１６１にネジ等の固定部材１６５によって固定されている。
【０００７】
例えば図４に示すように一方のストッパー１６３ａは、固定部材１６５によって一方のレール１６１ａに固定され、棚板１１０が上下方向に移動することを防止するために下側の平板１１１ｂをレール１６１ａに押さえつけ、棚板１１０が左方向に移動することを防止するために一方の側面パネル１１３ａの内面に当接し、棚板１１０が後方向に移動することを防止するため平板１１１ｂに当接している。  
他方のストッパー１６３ｂは、固定部材１６５によって他方のレール１６１ｂに固定され、棚板１１０が上下方向に移動することを防止するために下側の平板１１１ｂをレール１６１ｂに押さえつけ、棚板１１０が右方向に移動することを防止するために他方の側面パネル１１３ｂの内面に当接し、棚板１１０が後方向に移動することを防止するため一方のストッパー１６３ａと共に平板１１１ｂに当接している。
【０００８】
また図４と図５とに示すように一対の側面パネル１１３は、棚板１１０が前後方向に移動することを防止するために、前端部１１３ｃにおいて折り曲がって、前端部１１３ｃにて図示しない固定部材によって支柱１１７に固定されている。
【０００９】
このように地震等の振動が生じた場合に、図４に示すようにレール１６１及びストッパー１６３は、棚板１１０をレール１６１に押さえて、棚板１１０が支柱１１７及びレール１６１に対して上下左右後方向に移動することを防止する棚板１１０に対する耐震構造１２１となる。また折れ曲がっている側面パネル１１３は、支柱１１７に固定され、地震等の振動が生じた場合に、棚板１１０が支柱１１７に対して前後方向に移動することを防止する棚板１１０に対する耐震構造１２１となる。
【００１０】
また図５と図６とに示すように、耐震構造１２１に含まれるガイドピン１７１がストッパー１６３に形成された図示しない開口部と棚板１１０（側面パネル１１３）の縁に形成された開口部１１３ｆとに差し込まれることで、ストッパー１６３は、より強固に棚板１１０を押さえ、より強固に棚板１１０の上下左右後方向の移動を防止する。
【００１１】
また図４と図５とに示すように、レール１６１上には、左右方向において側面パネル１１３よりも支柱１１７側に空間部１７５が配設されている。この空間部１７５には、図４に示すように、Ｌ字形状を有し、耐震構造１２１に含まれるＬ字型ストッパー１７７がレール１６１に沿って配設されている。Ｌ字型ストッパー１７７は、レール１６１それぞれにネジ等の固定部材１７９によって固定されている。Ｌ字型ストッパー１７７は、左右方向において棚板１１０を挟み込み、棚板１１０の左右方向の移動をより防止する。  
なおＬ字型ストッパー１７７は、棚板１１０をレール１６１に配設するためのガイドとなる。なおＬ字型ストッパー１７７は、図５には図示を省略しているが、図４に示すように配設された場合と同様に機能する。
【００１２】
また例えば特許文献１には、一方のプリント基板に一方のガイド金具と他方のガイド金具を取り付けることにより、両プリント基板のコネクタ同士の嵌合を容易に行えるようにするプリント基板案内構造が開示されている。
【００１３】
また例えば特許文献２には、配線基板の未実装部分を補う場合に、部品点数が少なく、又作業性に優れ、冷却効果を損なうことが無い電子機器の筐体構造が開示されている。
【先行技術文献】
【特許文献】
【００１４】
【特許文献１】特開２００３−２４９７７７号公報
【特許文献２】特開２００５−５０９４６号公報
【発明の概要】
【発明が解決しようとする課題】
【００１５】
上述した棚板１１０において、耐震構造１２１としてレール１６１やストッパー１６３やガイドピン１７１やＬ字型ストッパー１７７等が用いられているが、複数の部品が用いられるために、コストが高く、取り付けの手間がかかる。
【００１６】
そのため本発明は、上記事情に鑑み、簡素な構成で安価且つ簡易に取り付けることができる棚板に対する耐震構造を提供することを目的とする。
【課題を解決するための手段】
【００１７】
本発明は目的を達成するために、棚板が支柱に対して前後左右上下方向に移動することを防止する前記棚板に対する耐震構造であって、折れ曲がった端部が前記支柱に固定されることで、前記棚板が前後方向に移動することを防止する前記棚板の側面パネルと、前記棚板を前記側面パネル側から挟み込み、前記棚板が左右上下方向に移動することを防止する挟み込み部材である１対の耐震レールと、を具備することを特徴とする耐震構造を提供する。
【発明の効果】
【００１８】
本発明によれば、簡素な構成で安価且つ簡易に取り付けることができる棚板に対する耐震構造を提供することができる。
【図面の簡単な説明】
【００１９】
【図１】図１は、第１の実施形態における耐震構造を有する棚板を支柱に取り付ける状態を示す後側斜視図である。
【図２】図２は、耐震構造を有する棚板を支柱に取り付けた状態を示す前側斜視図である。
【図３】図３は、第２の実施形態における耐震構造の後側斜視図である。
【図４】図４は、第１の一般的な耐震構造の後側斜視図である。
【図５】図５は、第２の一般的な耐震構造の後側斜視図である。
【図６】図６は、ストッパーを取り除いた図５に示す円６における拡大図である。
【発明を実施するための形態】
【００２０】
以下、図１と図２とを参照して本発明の第１の実施形態について詳細に説明する。  
棚板１０は、内部に図示しない電子機器を載置するために中空の四角形形状、言い換えると箱形状を有している。この棚板１０は、上下に対向し合う上下２枚の平板１１（１１ａ，１１ｂ）と、２枚の平板１１の両側に配設される側面パネル１３（１３ａ，１３ｂ）とを有している。側面パネル１３は、平板１１と共に中空の箱形状の棚板１０を形成している。上側の平板１１ａと下側の平板１１ｂと側面パネル１３とに囲まれて、空間部１５が形成される。平板１１には、電子機器などが載置される。平板１１ａは棚板１０の上面となり、平板１１ｂは棚板１０の下面となり、側面パネル１３は棚板１０の側面となる。
【００２１】
このような棚板１０は、開閉自在な扉を有する図示しない筐体の内部に配設される。棚板及び電子機器は、筐体の内部から扉を通じて自在に取り出せる。棚板１０が筐体の内部に配設される際、棚板１０は、筐体の内部に配設されている図１に示すような支柱（フレーム）１７によって支持される。
【００２２】
棚板１０が支柱１７によって支持されて、地震等の振動が生じた際、電子機器が棚板１０のがたつきによって転倒することを防止するために、棚板１０が転倒せず、棚板１０が支柱１７に対して動かないよう棚板１０には耐震対策を施す必要がある。そのためこの棚板１０には、地震等の振動が生じた際に、棚板１０が支柱１７に対して前後左右上下方向に移動することを防止する棚板１０に対する耐震構造２１が配設されている。
【００２３】
耐震構造２１は、前端部１３ｃにおいて折れ曲がって、図２に示すように折れ曲がった前端部１３ｃがネジ等の固定部材５１によって支柱１７に固定されることで、棚板１０が前後方向に移動することを防止する上述した側面パネル１３と、支柱１７に固定された状態で棚板１０を側面パネル１３側から挟み込み、棚板１０が左右上下方向に移動することを防止する挟み込み部材である１対の耐震レール２３（２３ａ，２３ｂ）とを有している。
【００２４】
図２に示すように側面パネル１３は、Ｌ字形状に折れ曲がっている前端部１３ｃが支柱１７に引っ掛かり支柱１７に固定部材５１によって固定されることで、棚板１０が前後左右上下方向、特に前後方向に移動することを防止する。
【００２５】
耐震レール２３は、折り曲げ加工した１枚の平板である。耐震レール２３の正面部２３ｄは、側面パネル１３に対向して略当接する。  
図１に示すように、耐震レール２３は、耐震レール２３が棚板１０の左右方向の移動を防止するために、支柱１７と側面パネル１３との空間部を埋めるように正面部２３ｄの後端２３ｅと前端２３ｆとから支柱１７に向って所望に折り曲げられて形成され、支柱１７に固定される対向し合う１対の支柱側折り曲げ部２５を有している。
【００２６】
図２に示すように耐震レール２３が棚板１０の左右方向の移動を防止するためには、耐震レール２３が支柱１７に固定された状態で、一方の耐震レール２３ａの正面部２３ｄと他方の耐震レール２３ｂの正面部２３ｄとが側面パネル１３とに略当接する必要がある。つまり左右方向において、一方の耐震レール２３ａの正面部２３ｄから他方の耐震レール２３ｂの正面部２３ｄまでの長さが棚板１０の左右方向の長さ（側面パネル１３ａから側面パネル１３ｂまでの長さ）と略同一となる必要がある。よって一方の耐震レール２３ａの正面部２３ｄから他方の耐震レール２３ｂの正面部２３ｄまでの長さが棚板１０の左右方向の長さと略同一となるように調整されるために、支柱側折り曲げ部２５は、支柱１７と側面パネル１３との空間部を埋めるように所望に折れ曲がっている。このように耐震レール２３は、左右方向において棚板１０を挟み込んでいる。
【００２７】
図２に示すように耐震レール２３は、支柱側折り曲げ部２５において、例えばネジ等の固定部材５３によって支柱１７に固定されている。  
また上下方向から見た（耐震レール２３を上側から見た）際に、正面部２３ｄと支柱側折り曲げ部２５とは、凹形状（ハット形）を形成している。
【００２８】
また耐震レール２３は、棚板１０の上方向の移動を防止するために、正面部２３ｄの上端２３ｇから棚板１０の上面である上側の平板１１ａに向って例えばＬ字に折り曲げられて平板１１ａに当接する上側折り曲げ部２７と、棚板１０の下方向の移動を防止するために、正面部２３ｄの下端２３ｈから棚板１０の下面である下側の平板１１ｂに向って例えばＬ字に折り曲げられて平板１１ｂに当接する下側折り曲げ部２９とを有している。
【００２９】
上側折り曲げ部２７は、正面部２３ｄの上端２３ｇが上側の平板１１ａに当接するように、正面部２３ｄの上端２３ｇから上側の平板１１ａに向って例えばＬ字に折り曲げられて形成されている。また下側折り曲げ部２９は、正面部２３ｄの下端２３ｈが下側の平板１１ｂに当接するように、正面部２３ｄの下端２３ｈから下側の平板１１ｂに向って例えばＬ字に折り曲げられて形成されている。
【００３０】
このような上側折り曲げ部２７と下側折り曲げ部２９とは、棚板１０の上下方向の移動を防止するために、上下方向において棚板１０を挟み込んで保持している。上側折り曲げ部２７と下側折り曲げ部２９とが棚板１０を保持する保持面２７ａ，２９ａは、棚板１０（平板１１）が前後方向に差し込まれ摺動する摺動面である。保持面２７ａから保持面２９ａまでの長さは、平板１１ａから平板１１ｂまでの長さと略同一である。
【００３１】
前後方向から見た際に、正面部２３ｄと上側折り曲げ部２７と下側折り曲げ部２９とは、凹形状を形成している。
【００３２】
次に本実施形態の動作方法について説明する。  
耐震レール２３において、支柱側折り曲げ部２５は、例えばネジ等の固定部材５３によって支柱１７に固定される。このとき一方の耐震レール２３ａの正面部２３ｄから他方の耐震レール２３ｂの正面部２３ｄまでの長さは、棚板１０の左右方向の長さと略同一となる。そのため側面パネル１３は正面部２３ｄに略当接しつつ、棚板１０は耐震レール２３によって左右方向において挟まれる。そして棚板１０は、後端部１０ｄを先頭に、保持面２７ａ，２９ａを摺動し、上側折り曲げ部２７と下側折り曲げ部２９とによって保持される。
【００３３】
このとき、棚板１０の上下方向の移動は、上側折り曲げ部２７と下側折り曲げ部２９とによって防止される。また一方の耐震レール２３ａの正面部２３ｄから他方の耐震レール２３ｂの正面部２３ｄまでの長さは、棚板１０の左右方向の長さと略同一である。そのため棚板１０の左右方向の移動は、耐震レール２３（支柱側折り曲げ部２５）によって防止される。
【００３４】
また棚板１０が上側折り曲げ部２７と下側折り曲げ部２９とによって保持された際、側面パネル１３の前端部１３ｃは、支柱１７に当接し、ネジ等の固定部材５１によって支柱１７に固定される。これにより棚板１０の前後方向の移動は、防止される。
【００３５】
なお棚板１０の左右上下方向の移動は、側面パネル１３の前端部１３ｃが支柱１７に固定されることでも、防止されるが、上側折り曲げ部２７と下側折り曲げ部２９と支柱側折り曲げ部２５とによってより強固に防止される。
【００３６】
このように本実施形態では、１枚の平板である耐震レール２３を折り曲げて上側折り曲げ部２７と下側折り曲げ部２９と支柱側折り曲げ部２５とを形成し、固定部材５３によって支柱側折り曲げ部２５を支柱１７に固定した状態で耐震レール２３が左右方向において棚板１０を挟み、棚板１０を保持面２７ａ,２９ａにて摺動させて上側折り曲げ部２７と下側折り曲げ部２９とに保持させ、固定部材５１によって側面パネル１３の前端部１３ｃを支柱１７に固定することで、耐震構造２１を簡素な構成で安価且つ簡易にとりつけることができる。
【００３７】
また本実施形態では、棚板１０を保持面２７ａ,２９ａに摺動させることができるために、上側折り曲げ部２７と下側折り曲げ部２９とを棚板１０のガイドとして利用でき、容易に棚板１０を支柱１７に支持させることができる。
【００３８】
また本実施形態では、棚板１０を保持面２７ａ,２９ａにて保持した状態で、前端部１３ｃを支柱１７に固定する。そのため本実施形態では、前端部１３ｃを固定するために、作業者が棚板１０を保持する必要はない。そのため本実施形態では、棚板１０を支柱１７に固定する労力を省くことができ、素早く固定することができる。
【００３９】
また本実施形態では、左右方向において耐震レール２３によって支柱１７と側面パネル１３との空間部を埋めこみ、耐震レール２３によって棚板１０を挟みこむものであり、一方の耐震レール２３ａまたは他方の耐震レール２３ｂによって棚板１０を支柱１７に押し付けるわけではない。そのため本実施形態では、棚板１０を支柱１７に支持させる際に、支柱１７によって棚板１０が損傷することを防止することができる。
【００４０】
また本実施形態では、前端部１３ｃがＬ字形状に折れ曲がり支柱１７に引っ掛かるために、棚板１０が保持面２７ａ,２９ａを摺動し耐震レール２３から抜け落ちてしまうことを防止することができる。このように本実施形態では、前端部１３ｃを棚板１０の抜け落ち防止部材としても機能させることができる。
【００４１】
次に、本発明に係る第２の実施形態について図３を参照して説明する。なお、第１の実施形態と同一の構成については、第１の実施形態と同一の参照符号を付すことにより説明を省略する。  
耐震構造２１は、側面パネル１３に配設されている少なくとも１つの開口部３１と、正面部２３ｄに配設されている少なくとも１つの開口部３３と、開口部３１,３３に嵌り込む例えばピンやネジやタップなどの嵌込部材３５（タップ）とを有している。
【００４２】
開口部３１と開口部３３とは、前後方向と上下方向とにおいて同一直線上に配置されている。嵌込部材３５は、棚板１０の内部１０ｅ側から耐震レール２３に向って嵌り込む。
【００４３】
嵌込部材３５が開口部３１,３３に嵌り込むことで、棚板１０の前後左右上下方向、特に上方向の移動は防止される。
【００４４】
このように本実施形態では、嵌込部材３５と開口部３１,３３とを配設することで、上側折り曲げ部２７を不要とできるために、耐震レール２３の折り曲げ加工の工程を削減でき、安価にすることができ、より簡素な構成にすることができる。  
また本実施形態では、上側折り曲げ部２７を不要とできるために、棚板１０を上端２３ｇ側から下側折り曲げ部２９の保持面に向って摺動させることもできる。
【００４５】
また本実施形態では、上側折り曲げ部２７を不要とできるために、側面パネル１３の高さ及び上方向における棚板１０の高さの制限を無くすことができ、棚板１０の設計の自由度を増すことができる。
【００４６】
また本実施形態では、嵌込部材３５を耐震レール２３側から内部１０ｅ側に向って嵌め込むと、嵌込部材３５の先端によって、平板１１ｂに載置されている電子機器を傷つけてしまう虞がある。また支柱１７が予め筐体の内面近傍に配設されていると、耐震レール２３側から内部１０ｅ側に向って嵌込部材３５を嵌め込む際のスペースを確保することが容易ではなく、また手間がかかる。しかしながら本実施形態では、嵌込部材３５を内部１０ｅ側から嵌めこませることで、嵌込部材３５の先端によって電子機器を傷つけてしまうことを防止でき、支柱１７が筐体の内部のどこに配設されていても、容易に嵌込部材３５を嵌め込むことができる。
【００４７】
なお本実施形態では、上側折り曲げ部２７を不要にできるとしたが、これに限定する必要はなく、上側折り曲げ部２７を配設し、下側折り曲げ部２９のみを不要としてもよい。これにより本実施形態では、側面パネル１３の高さ及び下方向における棚板１０の高さの制限を無くすことができ、棚板１０の設計の自由度を増すことができる。
【００４８】
なお本実施形態では、下側折り曲げ部２９も不要、つまり上側折り曲げ部２７と下側折り曲げ部２９とを不要としてもよい。
【００４９】
このように本実施形態では、嵌込部材３５と開口部３１,３３とを配設することで、上側折り曲げ部２７及び下側折り曲げ部２９を不要とすることができるために、耐震レール２３の折り曲げ加工の工程を削減でき、安価にすることができ、より簡素な構成にすることができる。
【００５０】
また本実施形態では、上側折り曲げ部２７及び下側折り曲げ部２９を不要とすることができるために、側面パネル１３の高さ及び上下方向における棚板１０の高さの制限をより無くすことができ、棚板１０の設計の自由度をより増すことができる。
【００５１】
このように第１乃至第３の実施形態において、耐震構造２１は、嵌込部材３５と開口部とを有していれば、上側折り曲げ部２７と下側折り曲げ部２９とのいずれか一方を有していれば良い、またはどちらも不要となる。
【００５２】
なお本実施形態における振動には、例えば衝撃と震動とも含まれる。また図示しない電子機器は、外部から伝達する振動に弱いものである。
【００５３】
（付記１）  
棚板が支柱に対して前後左右上下方向に移動することを防止する前記棚板に対する耐震構造であって、
折れ曲がった端部が前記支柱に固定されることで、前記棚板が前後方向に移動することを防止する前記棚板の側面パネルと、
前記棚板を前記側面パネル側から挟み込み、前記棚板が左右上下方向に移動することを防止する挟み込み部材である１対の耐震レールと、
を具備することを特徴とする耐震構造。
【００５４】
（付記２）  
前記耐震レールは、前記耐震レールが前記棚板の左右方向の移動を防止するために、前記側面パネルに対向して略当接する前記耐震レールの正面部の後端と前端とから前記支柱に向って折り曲げられて形成され、前記支柱に固定される対向し合う１対の支柱側折り曲げ部を有することを特徴とする付記１に記載の耐震構造。
【００５５】
（付記３）  
前記耐震レールは、
前記棚板の上方向の移動を防止するために、前記正面部の上端から前記棚板の上面に向って折り曲げられて前記棚板の上面に当接する上側折り曲げ部と、
前記棚板の下方向の移動を防止するために、前記正面部の下端から前記棚板の下面に向って折り曲げられて前記棚板の下面に当接する下側折り曲げ部と、
を有することを特徴とする付記２に記載の耐震構造。
【００５６】
（付記４）  
前記側面パネルに配設されている少なくとも１つの開口部と、
前記耐震レールの正面部に配設されている少なくとも１つの開口部と、
前記側面パネルに配設されている前記開口部と、前記耐震レールの正面部に配設されている前記開口部とに嵌り込む嵌込部材と、
を有することを特徴とする付記２に記載の耐震構造。
【００５７】
（付記５）  
前記棚板の上方向の移動を防止するために、前記正面部の上端から前記棚板の上面に向って折り曲げられて前記上面に当接する上側折り曲げ部と、
前記棚板の下方向の移動を防止するために、前記正面部の下端から前記棚板の下面に向って折り曲げられた前記下面に当接する下側折り曲げ部と、のいずれか一方を有することを特徴とする付記４に記載の耐震構造。
【００５８】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【００５９】
１０…棚板、１０ｄ…後端部、１０ｅ…内部、１１（１１ａ，１１ｂ）…平板、１３…側面パネル、１３ｃ…前端部、１５…空間部、１７…支柱、２１…耐震構造、２３（２３ａ，２３ｂ）…耐震レール、２３ｄ…正面部、２３ｅ…後端、２３ｆ…前端、２３ｇ…上端、２３ｈ…下端、２５…支柱側折り曲げ部、２７…上側折り曲げ部、２９…下側折り曲げ部、２７ａ，２９ａ…保持面、３１，３３…開口部、３５…嵌込部材、５１，５３…固定部材。
【図１】
2011174297.tif 000003
【図２】
2011174297.tif 000004
【図３】
2011174297.tif 000005
【図４】
2011174297.tif 000006
【図５】
2011174297.tif 000007
【図６】
2011174297.tif 000008